(57)【要約】【課題】  本体ユニットが出力および入力インターフェースのユニットと分離する構造を呈し、組合せたり分離したりすることで手持ちとして使用可能な携帯通信装置を提供する。【解決手段】  本体ユニット１００および出力、入力のインターフェースユニット２００を設計し、二つのユニットの一つに、又は二つのユニットに個別で携帯式蓄電電源１０５、２０７を設け、伝送導線１０８、２０８およびプラグソケットセット１０６、１０９、２０９によって相互に信号を伝送し、単一方向又は双方向の発射周波数等の通話、連絡方式を設けてある無線のビデオ信号等の伝送インターフェース１１６、２１６によって、二つのユニットが一体になる場合も、分離して個別のユニットになる場合も、すべて携帯電話の外部に双方向で通話、連絡、録音、撮影等の機能を持つ組合せ又は分離して使用する手持ち携帯通信装置である。【選択図】    図１
2005286604.tif 000002
【特許請求の範囲】
【請求項１】
組合せ又は分離して使用する手持ち携帯通信装置であって、本体ユニットが出力および入力インターフェースのユニットと分離する構造を呈し、必要によって組合せたり分離したりすることで手持ちとして使用する携帯通信装置であり、それを分離して使用する場合、その二つのユニットの一つに携帯式の蓄電電源を設けてあるときは伝送導線を通して電源およびビデオ信号、又はオーディオ信号、ビデオ／オーディオ信号、又は制御信号の伝送インターフェースとし、二つのユニットにすべて携帯式の蓄電電源が設けてあるときは伝送導線又はプラグソケットセットを通して伝送インターフェースとして直接伝送する他、二つのユニットにそれぞれ本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる発射および受信装置で構成する無線の伝送インターフェースを設けることで、二つのユニットの間でのビデオ信号、又はオーディオ信号、ビデオ／オーディオ信号、又は制御信号の無線の伝送を行い、その他同一の発射および受信装置を設けてある手持ち通信装置、又は組合せるか分離するかで手持ちとして使用する携帯通信装置、又はその他の通信装置に伝送を行い、上述の周波数は自由選定又は共同で定めた周波数を用いても良く、例えばブルートゥース（Blue  Tooth）の周波数があり、二つのユニットを組合せる方式は、それぞれのユニットに設けてある嵌め、ラッチ、ロック、旋回又は磁気で吸い付け等の相互に分離したり組合せたりしやすい構造で組合せ、その二つのユニットを組合せた後、伝送導線を通して伝送するか、プラグソケットセットで繋ぐことで電源、又はビデオ信号、又はオーディオ信号、ビデオ／オーディオ信号、又は制御信号を伝送し、又は、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる発射および受信装置を伝送インターフェースとすることで、二つのユニットの間でのビデオ信号、又はオーディオ信号、ビデオ／オーディオ信号、又は制御信号の無線の伝送を行い、その他同一の発射および受信装置を設けてある手持ち通信装置、又は組合せるか分離するかで手持ちとして使用する携帯通信装置、又は、その他の通信装置に伝送を行い、上述の周波数は自由選定又は共同で定めた周波数を用いても良く、例えば、ブルートゥース（Blue  Tooth）の周波数であることを特徴とする組合せ又は分離して使用する手持ち携帯通信装置。
【請求項２】
組合せ又は分離してする手持ち携帯通信装置に関するものであって、その上に本体ユニットおよび出力、入力のインターフェースユニットの二つのユニット構造が設けられ、それぞれ携帯式の蓄電電源装置、又は伝送導線、又は無線（wireless）の伝送インターフェースを独立して設けることで、ビデオ信号、又はオーディオ信号、ビデオ／オーディオ信号、又は制御信号の無線の伝送を行い、二つのユニットの間に組合せ又は分離可能な構造があり、
本体ユニットおよび出力、入力のインターフェースユニットで構成する組合せ又は分離して使用する手持ち携帯通信装置であり、その出力、入力のインターフェースユニットに独立して携帯式の蓄電電源を設けてあり、本体ユニットは独立のユニットであり、独立して携帯式の蓄電電源を設けてあり、その本体ユニットの構造体を出力および入力のインターフェースユニットの構造体と分離して手持ちで操作可能であり、二つの構造体の間に伝送導線を通して伝送インターフェースとして繋ぐことが可能であり、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの伝送方式を用いる発射および受信装置を伝送インターフェースとすることで、二つのユニットの間でのビデオ信号、又はオーディオ信号、ビデオ／オーディオ信号、又は制御信号の伝送を行い、その本体ユニットの構造体を出力および入力のインターフェースユニットの構造体と組合せて一体となることで手持ちで操作可能であり、二つの間に伝送導線を通して、又はプラグソケットセットを伝送インターフェースとして、電源又はビデオ信号、又はオーディオ信号、ビデオ／オーディオ信号、又は制御信号の伝送を行うことを特徴とする請求項１に記載の組合せ又は分離して使用する手持ち携帯通信装置。
【請求項３】
本体ユニット（１００）は、従来の手持ち携帯通信装置、又は更にその上にビデオ／オーディオレコード機能、録音機能、ビデオ／オーディオの送受信を付設する手持ち携帯通信装置、又は、個人デジタルアシスタント（ＰＤＡ）を構成する携帯通信装置、又は、データ処理装置の各種常態機能を備える手持ち携帯通信装置の本体ユニットであり、それを独立ケース（１０１）に設け、独立ケース（１０１）の中に本体の機能とマッチングする本体電気回路（１５０）が設けられ、必要によってその中に操作インターフェース（１０２）が設けられ、それを文字又は映像ディスプレー装置（１２０）、外部に通話、連絡する電気回路装置（１０３）、メモリー（１０４）および携帯式蓄電電源（１０５）とすることが可能であり、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる無線発射および受信装置（１１０）を無線伝送インターフェースとすることで、二つのユニットの間でのビデオ信号、又はオーディオ信号、ビデオ／オーディオ信号、又は制御信号の伝送を行い、その他同一の発射および受信装置を設けてある手持ち通信装置、又は組合せるか分離するかで手持ちとして使用する携帯通信装置、又は、その他の通信装置に伝送を行い、上述の周波数は自由選定又は共同で定めた周波数を用いても良く、例えばブルートゥース（Blue  Tooth）の周波数であり、伝送導線（１０８）又はプラグソケットセット（１０９）を設けることで有線伝送インターフェースを構成し、上述のような無線伝送インターフェース又は有線伝送インターフェースの２種の伝送機能装置の１種又は１種以上を用いることで、ビデオ信号、又はオーディオ信号、ビデオ／オーディオ信号、又は制御信号の伝送インターフェース（１１６）を構成し、出力および入力インターフェースのユニット（２００）と嵌め、ラッチ、ロック、旋回又は磁気で吸い付け等の相互に分離したり組合せたりしやすい構造で組合せ、
出力および入力インターフェースのユニット（２００）は、出力および入力インターフェースのユニット（２００）に独立ケース（２１４）が設けられているので、従来の手持ち携帯通信装置の入力送話器（２０１）、出力スピーカ（２０２）が設けられ、更に映像ディスプレー装置（２２０）、およびその機能とマッチングするランダム電気回路２０６を設けることが可能であり、独立ケース（２１４）に上述のようなオーディオ入力、オーディオ出力又は映像か文字のディスプレー機能が設けられる他、必要によって撮影、又は映像の連続録画、又は撮影および録音、又は映像の連続録画および録音等の機能の中での１種又は１種以上の機能のあるビデオ／オーディオレコード（２３１）およびその関連する電気回路（２０５）を選んで設けられるものであり、
出力および入力インターフェースのユニット（２００）は、必要によってメモリー（２０４）又は携帯式蓄電電源（２０７）を設けるか、携帯式電源を設けずに伝送導線（２０８）又はプラグソケットセット（２０９）を設けることで、伝送インターフェースとして電源を導入し、独立して携帯式蓄電電源（２０７）を設ける場合、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる無線発射および受信装置（２１０）で無線の伝送インターフェースを構成し、伝送導線（２０８）又はプラグソケットセット（２０９）を設けて有線の伝送インターフェースを構成し、上述のような無線伝送インターフェース又は有線伝送インターフェースの２種の伝送機能装置の１種又は１種以上を用いてビデオ信号、又はオーディオ信号、ビデオ／オーディオ信号、又は制御信号の伝送インターフェース（２１６）を構成することで、本体ユニット（１００）の上での伝送インターフェース（１１６）との間にプラグソケット又は導線で構成された有線伝送インターフェースによって伝送を行い、又は無線の伝送インターフェースによって相対する伝送を行い、
出力および入力インターフェースのユニット（２００）の独立ケース（２１４）に、本体ユニット（１００）と嵌め、ラッチ、ロック、旋回又は磁気で吸い付け等の相互に分離したり組合せたりしやすい構造が設けられ、
上述の出力および入力インターフェースのユニット（２００）は、必要によってディスプレー装置（２０３）、又はビデオ／オーディオレコード（２３１）、およびオーディオ入力、オーディオ出力又は映像の連続録画、又は撮影および録音等の機能の中での１種又は１種以上の機能に関連する構造および電気回路が設けられていることを特徴とする請求項１に記載の組合せ又は分離して使用する手持ち携帯通信装置。
【請求項４】
それぞれユニットの独立ケースの中に、組合せ又は分離可能な構造が設けてあり、一体で組合せた手持ち使用状態、又は分離した手持ち使用状態に設けられる場合、それをビデオ信号、又はオーディオ信号、ビデオ／オーディオ信号、又は制御信号の伝送インターフェース（１１６）および（２１６）とし、関連するビデオ信号、又はオーディオ信号、ビデオ／オーディオ信号、又は制御信号の伝送インターフェースを選ぶ場合、その適用する本体ユニット（１００）、出力および入力インターフェースのユニット（２００）の自体に設定してある機能および電気回路の特性、および両者の組合せ又は分離の使用条件によって異なり、それぞれのビデオ信号、又はオーディオ信号、ビデオ／オーディオ信号、又は制御信号の伝送方式および伝送装置は、手持ちで使用および分離して手持ちとして使用するそれぞれのユニットの間に相互にマッチングするプラグソケットセットを設けることで構成された伝送インターフェース、および組合せてから電源の電気エネルギー、ビデオ信号、オーディオ信号、ビデオ／オーディオ信号、又は制御信号を伝送するものを含むものであることを特徴とする請求項１に記載の組合せ又は分離して使用する手持ち携帯通信装置。
【請求項５】
それぞれユニットの独立ケースの中に、組合せ又は分離可能な構造が設けてあり、一体で組合せた手持ち使用状態、又は分離した手持ち使用状態に設けられる場合、一端固定タイプの伝送導線および巻き取り式構造を用いることが可能であり、一端固定タイプの伝送導線を本体ユニット（１００）、又は出力および入力インターフェースの中での一つのユニット（２００）に設け、別の一つのユニットにプラグソケットセットを設けて導線の別の端の上でのプラグソケットとマッチングして伝送インターフェースを構成することで、分離して手持ちとして使用する場合、又は組合せで手持ちとして使用する場合、電源、ビデオ信号、オーディオ信号、ビデオ／オーディオ信号、又は制御信号の伝送導線とするものであり、この伝送導線は自動的に巻き上げて内蔵するタイプを用いることも可能であることを特徴とする請求項１に記載の組合せ又は分離して使用する手持ち携帯通信装置。
【請求項６】
それぞれユニットの独立ケースの中に、組合せ又は分離可能な構造が設けてあり、一体で組合せた手持ち使用状態、又は分離した手持ち使用状態に設けられる場合、取り外せるタイプの伝送導線を用いることが可能であり、その両端にプラグソケットセットを設けてあるので、本体ユニット（１００）、又は出力および入力インターフェースのユニット（２００）の上でのプラグソケットセットとマッチングして伝送インターフェースを構成し、二つのユニットを分離して使用する場合、伝送導線の両端にあるプラグソケットを相対する本体ユニット（１００）および出力および入力インターフェースのユニット（２００）に挿入することで、電源、ビデオ信号、オーディオ信号、ビデオ／オーディオ信号、又は制御信号を伝送するものであることを特徴とする請求項１に記載の組合せ又は分離して使用する手持ち携帯通信装置。
【請求項７】
それぞれユニットの独立ケースの中に、組合せ又は分離可能な構造が設けてあり、一体で組合せた手持ち使用状態、又は分離した手持ち使用状態に設けられる場合、請求項４、５、および６で記載された伝送方式を用いることが可能であり、それぞれ分離した又は組合せたユニットに個別で独立の携帯式蓄電電源が設けられ、又はその中の一つのユニット又は一つのユニット以上に携帯式蓄電電源を設けることが可能であることを特徴とする請求項１に記載の組合せ又は分離して使用する手持ち携帯通信装置。
【請求項８】
それぞれユニットの独立ケースの中に、組合せ又は分離可能な構造が設けてあり、一体で組合せた手持ち使用状態、又は分離した手持ち使用状態に設けられる場合、それぞれ分離した又は組合せたユニットに、それぞれ本体ユニット（１００）が外部に通話、連絡する周波数と同一周波数又は異なる周波数の単一周波数、マルチ周波数、又は切換え周波数、又は暗号の射出周波数電磁気波、又は赤外線、又は超音波などの伝送方式を用いてそれぞれのユニットの間での無線で伝送インターフェースを構成することで、単一方向伝送又は双方向伝送の発射および受信構造が形成され、それによって、ビデオ信号、又はオーディオ信号、ビデオ／オーディオ信号、又は制御信号の無線の伝送を行い、その他同一の発射および受信装置を設けてある手持ち通信装置、又は組合せるか分離するかで手持ちとして使用する携帯通信装置、又はその他の通信装置に伝送を行い、上述の周波数は自由選定又は共同で定めた周波数を用いても良く、例えば、ブルートゥース（Blue  Tooth）の周波数であることを特徴とする請求項１に記載の組合せ又は分離して使用する手持ち携帯通信装置。
【請求項９】
必要によって、人工制御スイッチを設けることで、本体ユニット（１００）および出力および入力インターフェースのユニット（２００）の両者での電源装置を制御することを特徴とする請求項１に記載の組合せ又は分離して使用する手持ち携帯通信装置。
【請求項１０】
本体ユニットが外部に通話、連絡する周波数と同一周波数又は異なる周波数の射出周波数電磁気波、又は赤外線、又は超音波などの伝送方式を用いて、単一方向伝送又は双方向伝送の発射および受信構造が形成されることを特徴とする請求項１に記載の組合せ又は分離して使用する手持ち携帯通信装置。
【請求項１１】
直接本体ユニット（１００）および出力、入力インターフェースのユニット（２００）の二つのユニットのプラグソケットセットを相互にインサートして導通するか、又は伝送導線で出力および入力インターフェースのユニット（２００）、および本体ユニット（１００）を接続する相対伝送インターフェース（１１６）、（２１６）であることを特徴とする請求項１に記載の組合せ又は分離して使用する手持ち携帯通信装置。
【請求項１２】
直接本体ユニット（１００）および出力、入力インターフェースのユニット（２００）の組合せる面に導電接点および機電式又は固体式電子パーツで構成される感知スイッチを設置することで、二つのユニットを組合せる場合、自動的に両者の間での送受信電気回路装置の電源をカットして、直接両者の入力および出力インターフェースの電気回路を導通するものであることを特徴とする請求項１に記載の組合せ又は分離して使用する手持ち携帯通信装置。
【請求項１３】
組合せ又は分離して使用する手持ち携帯通信装置であって、その上に第二受話器（３１０）および第二送話器セット３２０、関連する電気回路（３３０）を加えて設けることで無線通話携帯電話機能のある装置（３４０）を構成し、この無線通話携帯電話機能のある装置（３４０）を本体ユニット（１００）と一体で構成可能であり、又は独立ケース（３１４）として本体ユニット（１００）と組合せる構造を呈し、導線又はプラグソケットで本体ユニットの電気回路と接続し、無線通話携帯電話機能のある装置（３４０）が本体ニットの上にある無線の発射および受信装置（１１０）を通して出力および入力インターフェースのユニット（２００）と携帯通信装置の中での無線通話携帯電話機能の通話、連絡を行い、又はその他同一発射および受信装置を設ける携帯通信装置に、又は組合せたり分離したりして使用する手持ち携帯通信装置に、又はその他通信装置に通話、連絡を行い、上述の通話、連絡の周波数は、自由選定又は共同で定めた周波数を用いても良く、例えば、ブルートゥース（Blue  Tooth）の周波数であることを特徴とする請求項１に記載の組合せ又は分離して使用する手持ち携帯通信装置。
【請求項１４】
必要によって切換えスイッチ（３５０）を設けることで、本体ユニット（１００）に設けてある無線の発射および受信装置（１１０）と加えて設けられた無線通話携帯電話機能のある装置（３４０）との間での運転状態を制御し、それは下記の通りであり、
（１）出力および入力インターフェースのユニット（２００）を無線通話携帯電話機能のある装置（３４０）に変更して、本体と組合せて外部への送受信機能としての通話、連絡を行い、
（２）本体ユニット（１００）に出力および入力インターフェースのユニット（２００）によって、外部への送受信機能としての通話、連絡を行う場合、第二受話器（３１０）、および第二送話器セット３２０、関連する電気回路（３３０）で構成された無線通話携帯電話機能のある装置（３４０）が本体ユニット（１００）自体の無線の発射および受信装置（１１０）との接続を切断し、携帯式蓄電電源（２０７）との接続を切断することで、電気エネルギーを節約可能であり、
（３）本体ユニット（１００）に設けてある第二受話器（３１０）、第二送話器セット３２０および関連する電気回路（３３０）で構成する無線通話携帯電話機能のある装置（３４０）が、本体ユニット（１００）に設けてある無線の発射および受信装置（１１０）を通して、出力および入力インターフェースのユニット（２００）に設けてある無線の発射および受信装置（２１０）、および出力および入力インターフェースのユニット（２００）と短距離、無線の単一方向又は双方向の通話機機能を行い、
（４）無線通話携帯電話機能のある装置（３４０）を出力および入力インターフェースのユニット（２００）と短距離、無線の単一方向又は双方向の通話機機能を行う場合、その切換えスイッチ（３５０）で本体ユニット（１００）が外部への通話、連絡電気回路の運転を切断することでエネルギーを節約し、
（５）無線通話携帯電話機能のある装置（３４０）を出力および入力インターフェースのユニット（２００）と短距離、無線の単一方向又は双方向の通話機機能を行う場合、その切換えスイッチ（３５０）で本体ユニット（１００）を制御して、外部への通話、連絡機能の平行運転を維持する、
ことを特徴とする請求項１３に記載の組合せ又は分離して使用する手持ち携帯通信装置。
【請求項１５】
それぞれのユニットに設けてある携帯式電源装置の電気エネルギーを補充する方式は下記の通りであり、
（１）それぞれのユニットが外部の充電電源を利用して、独立して充電を行い、又は、
（２）個別で蓄電ユニットを交換することで、電気エネルギーを補足し、又は、
（３）それぞれのユニットを組合せた後、共同に外部電源で充電を行い、
（４）それぞれのユニットの蓄電電源装置が相互に充電を行う、
ことを特徴とする請求項１又は請求項１３に記載の組合せ又は分離して使用する手持ち携帯通信装置。
【請求項１６】
本体ユニットが出力および入力インターフェースのユニットと分離する構造を呈し、必要によって組合せるか分離するかで手持ちとして使用する携帯通信装置であり、それぞれの分離構造ユニットに個別で携帯式の蓄電電源が設けられ、又は必要によって無線のビデオ信号、オーディオ信号、ビデオ／オーディオ信号、又は制御信号の発射および受信装置、又は伝送導線およびプラグソケットセットが設けられて伝送インターフェースを構成することで本体ユニットおよび出力、入力のインターフェースユニットの電源又は信号と接続し、携帯電話のオーディオ通信に応用可能であり、更にビデオ／オーディオレコード、又は撮影機能、録音機能、ビデオ／オーディオ信号の送受信を兼ねて備え、又は個人デジタルアシスタント（ＰＤＡ）を構成する携帯通信装置、又は、データ処理装置の各種常態機能を備えるものであることを特徴とする請求項１に記載の組合せ又は分離して使用する手持ち携帯通信装置。
【発明の詳細な説明】
【技術分野】
【０００１】
本発明は組合せ又は分離して使用する手持ち携帯通信装置に関するものである。即ち、その本体ユニットが出力および入力インターフェースのユニットと分離する構造を呈し、必要によって組合せたり分離したりすることで手持ちとして使用する携帯通信装置である。
【背景技術】
【０００２】
従来の携帯通信装置は、例えば携帯電話の本体ユニットおよび出力、入力のインターフェースユニットは、通常一体式の構造を呈する。携帯電話が直接頬に貼ることを避けるため、携帯電話との間に発射周波数無線で通話、連絡するヘッドホーン、有線ヘッドホーンを設けることがあるが、その送話器は携帯電話の本体に設けられてあるので、距離が少し遠くなるとその送話機能が直ちに悪くなる。
【発明の開示】
【発明が解決しようとする課題】
【０００３】
よって本発明の目的は、本体ユニットが出力および入力インターフェースのユニットと分離する構造を呈し、必要によって組合せたり分離したりすることで手持ちとして使用することができる携帯通信装置を提供することである。
【課題を解決するための手段】
【０００４】
本発明は組合せ又は分離して使用する手持ち携帯通信装置を携帯電話に応用し、携帯電話を組合せ又は分離して手持ちとして使用する本体ユニットおよび出力、入力のインターフェースユニットを設計し、二つのユニットの一つに、又は二つのユニットに個別で携帯式蓄電電源を設け、伝送導線およびプラグソケットセットによって相互に信号を伝送する。又、単一方向又は双方向の発射周波数、又は赤外線、又は超音波の通話、連絡方式を設けてある無線のビデオ信号、又はオーディオ信号、ビデオ／オーディオ信号、又は制御信号の伝送インターフェースによって、二つのユニットが一体になる場合も分離して個別のユニットになる場合も、すべて携帯電話の外部に双方向で通話、連絡、又は録音、撮影などの機能を持つ。
【０００５】
請求項に記載された組合せ又は分離して使用する手持ち携帯通信装置は、その本体ユニットが出力および入力インターフェースのユニットと分離する構造を呈し、必要によって組合せたり分離したりすることで手持ちとして使用する携帯通信装置である。それぞれの分離構造ユニットに個別で携帯式の蓄電電源を設けてあり、必要によって無線のビデオ信号、オーディオ信号、ビデオ／オーディオ信号、又は制御信号の発射および受信装置、又は伝送導線およびプラグソケットセットを設けて伝送インターフェースを構成することで、本体ユニットおよび出力、入力のインターフェースユニットの電源又は信号と接続するものである。この出願ケースを携帯電話のオーディオ通信に応用することができる。更に、ビデオ／オーディオレコード、又は撮影機能、録音機能、ビデオ／オーディオ信号の送受信を兼ねて備え、又は個人デジタルアシスタント（ＰＤＡ）を構成する携帯通信装置、又はデータ処理装置の各種常態機能を備えるものである。
【発明を実施するための最良の形態】
【０００６】
図１の通り、本体ユニットおよび出力、入力のインターフェースユニットの二つのユニット構造が設けられ、それぞれ携帯式の蓄電電源装置、又は伝送導線、又は無線（wireless）の伝送インターフェースを独立して設けることで、ビデオ信号、又はオーディオ信号、ビデオ／オーディオ信号、又は制御信号の無線の伝送を行う。又、二つのユニットの間には組合せたり分離したりできる構造がある。その主な構造の特徴は下記の通りである。
【０００７】
本体ユニットおよび出力、入力のインターフェースユニットで構成する組合せ又は分離して使用する手持ち携帯通信装置に関するものである。その出力、入力のインターフェースユニットに独立した携帯式の蓄電電源が設けられている。又、本体ユニットは独立のユニットであり、独立して携帯式の蓄電電源が設けられ、その本体ユニットの構造体を出力および入力のインターフェースユニットの構造体と分離して手持ちで操作できる。又、二つの構造体の間に伝送導線を通して、伝送インターフェースとして繋ぐことができる。又、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの伝送方式を用いる発射および受信装置を伝送インターフェースとすることで、二つのユニットの間でのビデオ信号、又はオーディオ信号、ビデオ／オーディオ信号、又は制御信号の伝送を行う。その本体ユニットの構造体を出力および入力のインターフェースユニットの構造体と組合せて一体となることで、手持ちで操作できる。又、二つの間に伝送導線を通して、又はプラグソケットセットを伝送インターフェースとして、電源又はビデオ信号、又はオーディオ信号、ビデオ／オーディオ信号、又は制御信号の伝送を行う。
【０００８】
図１は組合せ又は分離して使用する手持ち携帯通信装置に関するものである。その構造の中での主要な組合せるユニットは下記の通りである。
本体ユニット１００：それは従来の手持ち携帯通信装置、又は、更にその上にビデオ／オーディオレコード機能、録音機能、ビデオ／オーディオの送受信を付設する手持ち携帯通信装置、又は、個人デジタルアシスタント（ＰＤＡ）を構成する携帯通信装置、又は、データ処理装置の各種常態機能を備える手持ち携帯通信装置の本体ユニットである。それを独立ケース１０１に設ける。独立ケース１０１の中に、本体の機能とマッチングする本体電気回路１５０を設け、必要によってその中に操作インターフェース１０２が設けられる。それは文字又は映像ディスプレー装置１２０、外部に通話、連絡する電気回路装置１０３、メモリー１０４および携帯式蓄電電源１０５とすることができる。又、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる無線発射および受信装置１１０を無線伝送インターフェースとすることで、二つのユニットの間でのビデオ信号、又はオーディオ信号、ビデオ／オーディオ信号、又は制御信号の伝送を行う。又、その他同一の発射および受信装置を設けてある手持ち通信装置、又は組合せたり分離したりすることで手持ちとして使用する携帯通信装置、又は、その他の通信装置に伝送を行う。前記の周波数は自由選定又は共同で定めた周波数を用いても良い。例えば、ブルートゥース（Blue  Tooth）の周波数がある。又、伝送導線１０８又はプラグソケットセット１０９を設けることで有線伝送インターフェースを構成する。前記のような無線伝送インターフェース又は有線伝送インターフェースの２種の伝送機能装置の１種又は１種以上を用いることで、ビデオ信号、又はオーディオ信号、ビデオ／オーディオ信号、又は制御信号の伝送インターフェース１１６を構成する。又、出力および入力インターフェースのユニット２００と相互に嵌め、ラッチ、ロック、旋回又は磁気での吸い付け等の分離したり組合せたりしやすい構造で組合せる。
【０００９】
出力および入力インターフェースのユニット２００：出力および入力インターフェースのユニット２００に独立ケース２１４が設けられているので、従来の手持ち携帯通信装置の入力送話器２０１、出力スピーカ２０２が設けられ、更に映像ディスプレー装置２２０、およびその機能とマッチングするランダム電気回路２０６を設けることができる。独立ケース２１４に前記のようなオーディオ入力、オーディオ出力又は映像か文字のディスプレー機能が設けられる他、必要によって、撮影、又は映像の連続録画、又は撮影および録音、又は映像の連続録画および録音等の機能の中での１種又は１種以上の機能のあるビデオ／オーディオレコード２３１およびその関連する電気回路２０５を選んで設けることができる。
【００１０】
出力および入力インターフェースのユニット２００は、必要によってメモリー２０４又は携帯式蓄電電源２０７を設けるか、携帯式電源を設けずに伝送導線２０８又はプラグソケットセット２０９を設けることで、伝送インターフェースとして電源を導入する。又、独立して携帯式蓄電電源２０７を設ける場合、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる無線発射および受信装置２１０で無線の伝送インターフェースを構成する。又、伝送導線２０８又はプラグソケットセット２０９を設けて、有線の伝送インターフェースを構成する。前記のような無線伝送インターフェース又は有線伝送インターフェースの２種の伝送機能装置の１種又は１種以上を用いることで、ビデオ信号、又はオーディオ信号、ビデオ／オーディオ信号、又は制御信号の伝送インターフェース２１６を構成し、本体ユニット１００の上での伝送インターフェース１１６との間にプラグソケット又は導線で構成された有線伝送インターフェースによって伝送を行い、又は無線の伝送インターフェースによって相対する伝送を行うのである。
【００１１】
出力および入力インターフェースのユニット２００の独立ケース２１４に本体ユニット１００を嵌め、ラッチ、ロック、旋回又は磁気で吸い付け等の相互に分離したり組合せたりしやすい構造が設けられている。
【００１２】
上述の出力および入力インターフェースのユニット２００は、必要によってディスプレー装置２０３、又はビデオ／オーディオレコード２３１、およびオーディオ入力、オーディオ出力又は映像の連続録画、又は撮影および録音等の機能の中での１種又は１種以上の機能に関連する構造および電気回路が設けられている。
【００１３】
この組合せ又は分離して使用する手持ち携帯通信装置に関するものである。それぞれユニットの独立ケースの中に組合せたり分離したりできる構造が設けられ、一体に組合せた手持ち使用状態、又は分離した手持ち使用状態に設けられる場合、それをビデオ信号、又はオーディオ信号、ビデオ／オーディオ信号、又は制御信号の伝送インターフェース１１６および２１６とする。又、関連するビデオ信号、又はオーディオ信号、ビデオ／オーディオ信号、又は制御信号の伝送インターフェースを選ぶ場合、その適用する本体ユニット１００、出力および入力インターフェースのユニット２００自体に設定してある機能および電気回路の特性、および両者の組合せ又は分離の使用条件によって異なる。それぞれのビデオ信号、又はオーディオ信号、ビデオ／オーディオ信号、又は制御信号の伝送方式および伝送装置は下記のものを含む。
【００１４】
（１）手持ちで使用および分離して手持ちとして使用するそれぞれのユニットの間に、相互にマッチングするプラグソケットセットを設けることで、構成された伝送インターフェース、および組合せてから電源の電気エネルギー、ビデオ信号、オーディオ信号、ビデオ／オーディオ信号、又は制御信号を伝送するものを含む。
【００１５】
（２）一端固定タイプの伝送導線および巻き取り式構造を用いる。一端固定タイプの伝送導線を本体ユニット１００、又は出力および入力インターフェースの中の一つのユニット２００に設けて、別の一つのユニットにプラグソケットセットを設けることで、導線の別の端の上でのプラグソケットとマッチングして伝送インターフェースを構成し、分離して手持ちとして使用する場合、又は組合せで手持ちとして使用する場合、電源、ビデオ信号、オーディオ信号、ビデオ／オーディオ信号、又は制御信号の伝送導線とする。この伝送導線は自動的に巻き上げて内蔵するタイプを用いても良い。
【００１６】
（３）取り外せるタイプの伝送導線を用いる。その両端にプラグソケットセットを設けてあるので、本体ユニット１００、又は出力および入力インターフェースのユニット２００の上でのプラグソケットセットとマッチングして伝送インターフェースを構成することで、二つのユニットを分離して使用する場合、伝送導線の両端にあるプラグソケットを相対的に本体ユニット１００および出力および入力インターフェースのユニット２００に挿入し、電源、ビデオ信号、オーディオ信号、ビデオ／オーディオ信号、又は制御信号を伝送する。
【００１７】
（４）前記（１）、（２）、（３）の伝送方式を用いる。それぞれ分離する又は組合せるユニットに個別に独立の携帯式蓄電電源を設け、又はその中の一つのユニット又は一つのユニット以上に携帯式蓄電電源を設けることができる。
【００１８】
（５）それぞれ分離する又は組合せるユニットに、それぞれ本体ユニット１００が外部に通話、連絡する周波数と同一周波数又は異なる周波数の単一周波数、マルチ周波数、又は切換え周波数、又は暗号の射出周波数電磁気波、又は赤外線、又は超音波などの伝送方式を用いて、それぞれのユニットの間での無線で伝送インターフェースを構成することで、単一方向伝送又は双方向伝送の発射および受信構造が形成される。それによって、ビデオ信号、又はオーディオ信号、ビデオ／オーディオ信号、又は制御信号の無線の伝送を行う。又、その他同一の発射および受信装置を設けてある手持ち通信装置、又は組合せるか分離するかで手持ちとして使用する携帯通信装置、又は、その他の通信装置に伝送を行う。前記の周波数は自由選定又は共同で定めた周波数を用いても良い。例えば、ブルートゥース（Blue  Tooth）の周波数がある。
【００１９】
この組合せ又は分離して使用する手持ち携帯通信装置の基本構造についての詳しい特徴は下記の通りである。
（１）必要によって、人工制御スイッチを設けることで、本体ユニット１００および出力および入力インターフェースのユニット２００の両者での電源装置を制御する。
【００２０】
（２）本体ユニットが外部に通話、連絡する周波数と同一周波数又は異なる周波数の射出周波数電磁気波、又は赤外線、又は超音波などの伝送方式を用いて、単一方向伝送又は双方向伝送の発射および受信構造が形成される。
又は、（３）直接本体ユニット１００および出力、入力インターフェースのユニット２００の二つのユニットのプラグソケットセットを相互にインサートして導通するか、又は伝送導線を出力および入力インターフェースのユニット２００、および本体ユニット１００と接続する相対伝送インターフェース１１６、２１６によって導通する。
【００２１】
（４）直接本体ユニット１００および出力、入力インターフェースのユニット２００の組合せる面に導電接点および機電式又は固体式電子パーツで構成される感知スイッチを設置することで、二つのユニットを組合せる場合、自動的に両者の間での送受信電気回路装置の電源をカットして、直接両者の入力および出力インターフェースの電気回路を導通する。
【００２２】
又、図１で記載された本体ユニットは図２の通り、その上に第二受話器３１０および第二送話器セット３２０、関連する電気回路３３０を加えて設けることで、無線通話携帯電話機能のある装置３４０を構成する。この無線通話携帯電話機能のある装置３４０を本体ユニット１００と一体で構成することができる。又は、独立ケース３１４として本体ユニット１００と組合せる構造を呈する。又、導線又はプラグソケットで本体ユニットの電気回路と接続する。更に、無線通話携帯電話機能のある装置３４０が本体ユニットの上にある無線の発射および受信装置１１０を通して、出力および入力インターフェースのユニット２００と携帯通信装置の中での無線通話携帯電話機能の通話、連絡を行う。又は、その他同一発射および受信装置を設ける携帯通信装置に組合せ、又は分離して使用する手持ち携帯通信装置又はその他通信装置に通話、連絡を行う。前記の通話、連絡の周波数は、自由選定又は共同で定めた周波数を用いても良い。例えば、ブルートゥース（Blue  Tooth）の周波数がある。
【００２３】
図２は、図１に第二の受話器３１０、第二送話器セット３２０、および関連する電気回路３３０を加えて設けることで構成された無線通話携帯電話機能のある装置のシステムの概念図である。
【００２４】
図２の実施例は、必要によって切換えスイッチ３５０を設けることで、本体ユニット１００に設けてある無線の発射および受信装置１１０と加えて設けられた無線通話携帯電話機能のある装置３４０の間での運転状態を制御する。それは下記のものを含む。
【００２５】
（１）出力および入力インターフェースのユニット２００を無線通話携帯電話機能のある装置３４０に変更し、本体と組合せて外部への送受信機能としての通話、連絡を行うものである。
（２）本体ユニット１００に出力および入力インターフェースのユニット２００によって外部への送受信機能としての通話、連絡を行う場合、第二受話器３１０、および第二送話器セット３２０、関連する電気回路３３０で構成された無線通話携帯電話機能のある装置３４０が本体ユニット１００自体の無線の発射および受信装置１１０との接続を切断する。又、携帯式蓄電電源２０７との接続を切断することで、電気エネルギーを節約できる。
【００２６】
（３）本体ユニット１００に設けてある第二受話器３１０、第二送話器セット３２０および関連する電気回路３３０で構成する無線通話携帯電話機能のある装置３４０が、本体ユニット１００に設けてある無線の発射および受信装置１１０を通して、出力および入力インターフェースのユニット２００に設けてある無線の発射および受信装置２１０、および出力および入力インターフェースのユニット２００と短距離、無線の単一方向又は双方向の通話機機能を行う。
【００２７】
（４）無線通話携帯電話機能のある装置３４０を出力および入力インターフェースのユニット２００と短距離、無線の単一方向又は双方向の通話機機能を行う場合、その切換えスイッチ３５０で本体ユニット１００が外部への通話、連絡電気回路の運転を切断することで、エネルギーを節約する。
【００２８】
（５）無線通話携帯電話機能のある装置３４０を出力および入力インターフェースのユニット２００と短距離、無線の単一方向又は双方向の通話機機能を行う場合、その切換えスイッチ３５０で本体ユニット１００を制御して、外部への通話、連絡機能の平行運転を維持する。
【００２９】
この組合せ又は分離して使用する手持ち携帯通信装置に関するものである。それぞれのユニットに設けてある携帯式電源装置の電気エネルギーを補充する方式は下記の通りである。
【００３０】
（１）それぞれのユニットが外部の充電電源を利用して、独立して充電を行うことができる。又は、（２）個別で蓄電ユニットを交換することで、電気エネルギーを補足する。又は、（３）それぞれのユニットを組合せた後、共同に外部電源で充電を行うことができる。（４）それぞれのユニットの蓄電電源装置が相互に充電を行うことができる。
【００３１】
上述によって、この組合せ又は分離して使用する手持ち携帯通信装置は、デジタル又はアナログの手持ち携帯電話（cell phone）に応用することも含む。それは本体ユニット１００および出力、入力インターフェースのユニット２００が設けられ、その二つのユニットは伝送導線１０８および２０８、又はプラグソケットセット１０９および２０９によって、伝送インターフェースとして直接伝送する他、二つのユニットにそれぞれ本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる発射および受信装置で構成する無線の伝送インターフェースを設けることで、二つのユニットの間でのビデオ信号、又はオーディオ信号、ビデオ／オーディオ信号、又は制御信号の無線の伝送を行う。又、その他同一の発射および受信装置を設けてある手持ち通信装置、又は組合せるか分離するかで手持ちとして使用する携帯通信装置、又は、その他の通信装置に伝送を行う。前記の周波数は自由選定又は共同で定めた周波数を用いても良い。例えば、ブルートゥース（Blue  Tooth）の周波数がある。二つのユニットを組合せる方式は、それぞれのユニットに設けてある嵌め、ラッチ、ロック、旋回又は磁気による吸い付け等で相互に分離したり組合せたりしやすい構造で組合せる。この組合せ又は分離して使用する手持ち携帯通信装置を同時に撮影又は録音機能を備える手持ち携帯電話に応用できる他、組合せ又は分離して手持ちとして使用できる特色があるので、出力および入力インターフェースのユニット２００を本体ユニット１００と分離して使用でき便利である。又、撮影又はビデオ／オーディオの継続撮影、録画機能による録音を行う場合、一体式の携帯通信装置で撮影および録画、又はディスプレーの使用を行う場合に相応しくない角度で実施する場合、分離式で撮影およびディスプレーの使用を行うことができるので、更に応用できる。
【００３２】
本発明の主要な目的は、組合せ又は分離して使用する手持ち携帯通信装置を提供するものである。即ち、その本体ユニットが出力および入力インターフェースのユニットと分離する構造を呈し、必要によって組合せるか分離するかで手持ちとして使用する携帯通信装置である。それを分離して使用するときにその二つのユニットの一つに携帯式の蓄電電源を設けてある場合、伝送導線を通して電源およびビデオ信号、又はオーディオ信号、ビデオ／オーディオ信号、又は制御信号の伝送インターフェースとする。又、二つのユニットにすべて携帯式の蓄電電源を設けてある場合、伝送導線又はプラグソケットセットを通して伝送インターフェースとして直接伝送する他、二つのユニットにそれぞれ本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる発射および受信装置で構成する無線の伝送インターフェースを設けることで、二つのユニットの間でのビデオ信号、又はオーディオ信号、ビデオ／オーディオ信号、又は制御信号の無線の伝送を行う。又、その他同一の発射および受信装置を設けてある手持ち通信装置、又は組合せるか分離するかで手持ちとして使用する携帯通信装置、又は、その他の通信装置に伝送を行う。上述の周波数は自由選定又は共同で定めた周波数を用いても良い。例えば、ブルートゥース（Blue  Tooth）の周波数がある。二つのユニットを組合せる方式は、それぞれのユニットに設けてある嵌め、ラッチ、ロック、旋回又は磁気で吸い付け等の相互に分離したり組合せたりしやすい構造で組合せる。その二つのユニットを組合せた後、伝送導線を通して伝送するか、プラグソケットセットで繋ぐことで電源、又はビデオ信号、又はオーディオ信号、ビデオ／オーディオ信号、又は制御信号を伝送する。又は、本体ユニットが外部に通話、連絡する周波数と同一周波数又は異なる周波数の単一周波数、マルチ周波数、又は切換え周波数、又は暗号の射出周波数電磁気波、又は赤外線、又は超音波などの方式を用いる発射および受信装置を伝送インターフェースとすることで、二つのユニットの間でのビデオ信号、又はオーディオ信号、ビデオ／オーディオ信号、又は制御信号の無線の伝送を行う。又、その他同一の発射および受信装置を設けてある手持ち通信装置、又は組合せるか分離するかで手持ちとして使用する携帯通信装置、又は、その他の通信装置に伝送を行う。上述の周波数は自由選定又は共同で定めた周波数を用いても良い。例えば、ブルートゥース（Blue  Tooth）の周波数がある。
【図面の簡単な説明】
【００３３】
【図１】本発明の実施例による組合せ又は分離して使用する手持ち携帯通信装置の基本構造の四方形を示す概念図である。
【図２】図１に第二の受話器、第二送話器セット、および関連する電気回路を加えて設けることで構成された無線通話携帯電話機能のある装置のシステムを示す概念図である。
【符号の説明】
【００３４】
１００  本体ユニット、１０１、２１４、３１４  独立ケース、１０２  操作インターフェース、１０３  外部に通話連絡する電気回路装置、１０４、２０４  メモリー、１０５、２０７  携帯式蓄電電源、１０６、１０９、２０９  プラグソケットセット、１０８、２０８  伝送導線、１１０、２１０  無線の発射および受信装置、１１６、２１６  伝送インターフェース、１２０、２２０  映像ディスプレー装置、１５０  本体電気回路、２００  出力および入力インターフェースのユニット、２０１  入力送話器、２０２  出力スピーカ、２０３  ディスプレー装置、２０５、２０６、３３０  電気回路、２３１  ビデオ／オーディオレコード、３１０  第二受話器、３２０  第二送話器セット、３４０  無線通話携帯電話機能のある装置、３５０  切換えスイッチ
【図１】
2005286604.tif 000003
【図２】
2005286604.tif 000004